【手続補正書】
【提出日】平成19年11月5日(2007.11.5)
【手続補正１】
【補正対象書類名】特許請求の範囲
【補正対象項目名】全文
【補正方法】変更
【補正の内容】
【特許請求の範囲】
【請求項１】
信号の選択部分に関して関数処理を実施するための方法であって、
帯域マーカで開始周波数にマーキングを施すステップと、
前記帯域マーカで終止周波数にマーキングを施すステップと、
前記開始周波数と前記終止周波数との中間に位置する中心周波数にマーキングを施すステップと、
前記開始周波数と前記終止周波数との間の前記信号の帯域幅に関して数学的処理を実施するステップと、
前記数学的処理の結果を表す数値を表示するステップとを有し、
前記開始周波数および前記終止周波数および前記中心周波数が、前記帯域マーカにより同時にマーキングが施され、
前記数学的処理が、前記開始周波数と前記終止周波数との間の前記信号の帯域幅内の信号電力の総量を表す帯域パワーを計算するステップか、前記開始周波数と前記終止周波数との間の前記信号の帯域幅内の信号電力密度を表す帯域パワー密度を計算するステップを含む、
ことを特徴とする方法。
【請求項２】
前記開始周波数が前記帯域マーカの左脚でマーキングが施され、
前記帯域マーカの左脚が垂直線であり、
前記終止周波数が前記帯域マーカの右脚でマーキングが施され、
前記帯域マーカの右脚が垂直線である、
ことを特徴とする請求項１に記載の方法。
【請求項３】
前記開始周波数が前記帯域マーカの左脚でマーキングが施され、
前記帯域マーカの左脚が垂直線であり、
前記終止周波数が前記帯域マーカの右脚でマーキングが施され、
前記帯域マーカの右脚が垂直線であり、
前記中心周波数が、前記帯域マーカの中心菱形によって表示される、
ことを特徴とする請求項１に記載の方法。
【請求項４】
信号の選択部分に関してある関数の処理を実施するための方法であって、
第一の帯域マーカで第一の開始周波数にマーキングを施すステップと、
前記第一の帯域マーカで第一の終止周波数にマーキングを施すステップと、
前記第一の開始周波数と第一の前記終止周波数との中間に位置する中心周波数にマーキングを施すステップと、
第二の帯域マーカで第二の開始周波数にマーキングを施すステップと、
前記第二の帯域マーカで第二の終止周波数にマーキングを施すステップと、
前記第一の開始周波数と前記第一の終止周波数との間の前記信号の帯域幅とともに前記第二の開始周波数と前記第二の終止周波数との間の前記信号の帯域幅に関してデルタ帯域関数を実施するステップを含み、
前記デルタ帯域関数が、デルタ帯域パワーまたはデルタ帯域パワー密度を含む、
ことを特徴とする方法。
【請求項５】
電子計測器用ユーザ・インターフェイスであって、
信号と、前記信号の帯域幅の開始周波数および終止周波数および中心周波数に同時にマーキングを施すことによって前記信号の帯域幅を分界する帯域マーカとを表示するディスプレイを備え、
前記電子計測器が、前記開始周波数と前記終止周波数との間の前記信号の帯域幅に関して数学的処理を実施して、数学的処理の結果を表す数値を表示し、
前記数学的処理が、前記開始周波数と前記終止周波数との間の前記信号の帯域幅内の信号電力の総量を表す帯域パワーの計算か、前記開始周波数と前記終止周波数との間の前記信号の帯域幅内の信号電力密度を表す帯域パワー密度の計算を含む、
ことを特徴とする電子計測器用ユーザ・インターフェイス。
【請求項６】
前記開始周波数が前記帯域マーカの左脚でマーキングが施され、
前記帯域マーカの左脚が垂直線であり、
前記終止周波数が前記帯域マーカの右脚でマーキングが施され、
前記帯域マーカの右脚が垂直線である、
ことを特徴とする請求項５に記載の電子計測器用ユーザ・インターフェイス。
【請求項７】
前記開始周波数が前記帯域マーカの左脚でマーキングが施され、
前記帯域マーカの左脚が垂直線であり、
前記終止周波数が前記帯域マーカの右脚でマーキングが施され、
前記帯域マーカの右脚が垂直線であり、
前記中心周波数が、前記帯域マーカの中心菱形によって表示される、
ことを特徴とする請求項５に記載の電子計測器用ユーザ・インターフェイス。
【請求項８】
電子計測器用ユーザ・インターフェイスであって、
信号と、前記信号の第一の帯域幅の第一の開始周波数および第一の終止周波数および中心周波数に同時にマーキングを施すことによって前記信号の帯域幅を分界する帯域マーカとを表示するディスプレイを備え、
前記電子計測器が、前記開始周波数と前記終止周波数との間の前記信号の帯域幅に関して数学的処理を実施して、数学的処理の結果を表す数値を表示し、
前記数学的処理が、前記第一の開始周波数と前記第一の終止周波数との間の前記信号の第一の帯域幅内の信号電力の総量を表す帯域パワーの計算か、前記第一の開始周波数と前記第一の終止周波数との間の前記信号の第一の帯域幅内の信号電力密度を表す帯域パワー密度の計算を含み、
前記ディプレイが、前記信号の第二の帯域幅の第二の開始周波数および第二の終止周波数に同時にマーキングを施すことによって前記信号の前記第二の帯域幅を分界する帯域マーカをさらに表示する、
ことを特徴とする電子計測器用ユーザ・インターフェイス。
【請求項９】
電子計測器用ユーザ・インターフェイスであって、
信号と、前記信号の第一の帯域幅の第一の開始周波数および第一の終止周波数および中心周波数に同時にマーキングを施すことによって前記信号の帯域幅を分界する帯域マーカとを表示するディスプレイを備え、
前記ディプレイが、前記信号の第二の帯域幅の第二の開始周波数および第二の終止周波数に同時にマーキングを施すことによって前記信号の前記第二の帯域幅を分界する帯域マーカをさらに表示し、
前記電子計測器が、前記第一の開始周波数と前記第一の終止周波数との間の前記信号の第一の帯域幅に対する前記信号の第二の帯域幅に関してデルタ関数を実施する、
ことを特徴とする電子計測器用ユーザ・インターフェイス。
【請求項１０】
前記デルタ関数が、デルタ帯域パワーまたはデルタ帯域パワー密度を含む、
ことを特徴とする請求項９に記載の電子計測器用ユーザ・インターフェイス。
【請求項１１】
電子計測器であって、
信号と、前記信号の帯域幅の開始周波数および終止周波数および中心周波数に同時にマーキングを施すことによって前記信号の帯域幅を分界する帯域マーカとを表示するディスプレイ手段を備え、
前記電子計測器が、前記開始周波数と前記終止周波数との間の前記信号の帯域幅に関して数学的処理を実施して、数学的処理の結果を表す数値を表示し、
前記数学的処理が、前記開始周波数と前記終止周波数との間の前記信号の帯域幅内の信号電力の総量を表す帯域パワーの計算か、前記開始周波数と前記終止周波数との間の前記信号の帯域幅内の信号電力密度を表す帯域パワー密度の計算を含む、
ことを特徴とする電子計測器。
【請求項１２】
前記開始周波数が前記帯域マーカの左脚でマーキングが施され、
前記帯域マーカの左脚が垂直線であり、
前記終止周波数が前記帯域マーカの右脚でマーキングが施され、
前記帯域マーカの右脚が垂直線である、
ことを特徴とする請求項１１に記載の電子計測器。
【請求項１３】
前記開始周波数が前記帯域マーカの左脚でマーキングが施され、
前記帯域マーカの左脚が垂直線であり、
前記終止周波数が前記帯域マーカの右脚でマーキングが施され、
前記帯域マーカの右脚が垂直線であり、
前記中心周波数が、前記帯域マーカの中心菱形によって表示される、
ことを特徴とする請求項１１に記載の電子計測器。
【請求項１４】
電子計測器であって、
信号と、前記信号の第一の帯域幅の第一の開始周波数および第一の終止周波数および中心周波数に同時にマーキングを施すことによって前記信号の帯域幅を分界する帯域マーカとを表示するディスプレイ手段を備え、
前記電子計測器が、前記開始周波数と前記終止周波数との間の前記信号の帯域幅に関して数学的処理を実施して、数学的処理の結果を表す数値を表示し、
前記数学的処理が、前記第一の開始周波数と前記第一の終止周波数との間の前記信号の第一の帯域幅内の信号電力の総量を表す帯域パワーの計算か、前記第一の開始周波数と前記第一の終止周波数との間の前記信号の第一の帯域幅内の信号電力密度を表す帯域パワー密度の計算を含み、
前記ディプレイ手段が、前記信号の第二の帯域幅の第二の開始周波数および第二の終止周波数に同時にマーキングを施すことによって前記信号の前記第二の帯域幅を分界する帯域マーカをさらに表示する、
ことを特徴とする電子計測器。
【請求項１５】
電子計測器であって、
信号と、前記信号の第一の帯域幅の第一の開始周波数および第一の終止周波数および中心周波数に同時にマーキングを施すことによって前記信号の帯域幅を分界する帯域マーカとを表示するディスプレイ手段を備え、
前記ディプレイ手段が、前記信号の第二の帯域幅の第二の開始周波数および第二の終止周波数に同時にマーキングを施すことによって前記信号の前記第二の帯域幅を分界する帯域マーカをさらに表示し、
前記電子計測器が、前記第一の開始周波数と前記第一の終止周波数との間の前記信号の第一の帯域幅に対する前記信号の第二の帯域幅に関してデルタ関数を実施する、
ことを特徴とする電子計測器。
【請求項１６】
前記デルタ関数が、デルタ帯域パワーまたはデルタ帯域パワー密度を含む、
ことを特徴とする請求項１５に記載の電子計測器。